(57)【要約】【課題】遠距離の物標を確認するためのレーダ映像の粗さを抑えつつ、近距離の物標を詳細に確認可能なレーダ装置を提供する。【解 決手段】レーダ装置は、角度範囲設定部と、送信部と、受信部と、レーダ映像生成部と、を備える。角度範囲設定部は、全方位でない角度範囲を少なくとも１つ 設定する。送信部は、第１パルス幅の第１送信信号を送信するとともに、角度範囲設定部が設定した角度範囲では、第１パルス幅よりもパルス幅が短い第２パル ス幅の第２送信信号を送信する。受信部は、送信部が送信した第１送信信号及び第２送信信号が物標で反射した信号を受信信号として受信する。レーダ映像生成 部は、第１送信信号の受信信号に基づいて第１レーダ映像を生成するとともに、第２送信信号の受信信号に基づいて、角度範囲の第２レーダ映像を生成する。【選択図】図５
2017145588.tif 000002
【特許請求の範囲】
【請求項１】
全方位でない角度範囲を少なくとも１つ設定する角度範囲設定部と、
第１パルス幅の第１送信信号を送信するとともに、前記角度範囲設定部が設定した角度範囲では、第１パルス幅よりもパルス幅が短い第２パルス幅の第２送信信号を送信する送信部と、
前記送信部が送信した前記第１送信信号及び前記第２送信信号が物標で反射した信号を受信信号として受信する受信部と、
前記第１送信信号の受信信号に基づいて第１レーダ映像を生成するとともに、前記第２送信信号の受信信号に基づいて、前記角度範囲の第２レーダ映像を生成するレーダ映像生成部と、
を備えることを特徴とするレーダ装置。
【請求項２】
請求項１に記載のレーダ装置であって、
前記角度範囲設定部は、第１レーダ映像上の位置の指定を受け付け、受け付けた位置に基づいて前記角度範囲を設定することを特徴とするレーダ装置。
【請求項３】
請求項２に記載のレーダ装置であって、
前記第２レーダ映像は、前記角度範囲設定部が受け付けた位置を含む領域の映像であることを特徴とするレーダ装置。
【請求項４】
請求項３に記載のレーダ装置であって、
前記角度範囲設定部は、ユーザが指定した位置を受け付けることを特徴とするレーダ装置。
【請求項５】
請求項３に記載のレーダ装置であって、
前記受信信号に基づいて物標の追尾処理を行う物標追尾部を備え、
前記角度範囲設定部が受け付けた位置は、前記物標追尾部が追尾している物標、又は、追尾している物標の中から選択された物標の位置であることを特徴とするレーダ装置。
【請求項６】
請求項２から５までの何れか一項に記載のレーダ装置であって、
前記送信部は、自装置から前記角度範囲設定部が受け付けた位置までの距離に基づいて決定された前記第２送信信号を送信することを特徴とするレーダ装置。
【請求項７】
請求項１から６までの何れか一項に記載のレーダ装置であって、
前記送信部は、前記角度範囲において、第１送信信号の送信間隔を変えずに第２送信信号を送信することを特徴とするレーダ装置。
【請求項８】
請求項１から６までの何れか一項に記載のレーダ装置であって、
前記送信部は、前記角度範囲において、第１送信信号の送信間隔を長くして第２送信信号を送信することを特徴とするレーダ装置。
【請求項９】
請求項１から８までの何れか一項に記載のレーダ装置であって、
前記第１レーダ映像及び前記第２レーダ映像を同時に表示する表示部を備えることを特徴とするレーダ装置。
【請求項１０】
請求項９に記載のレーダ装置であって、
前記第２レーダ映像は、前記第１レーダ映像に重畳して表示されることを特徴とするレーダ装置。
【請求項１１】
請求項９又は１０に記載のレーダ装置であって、
前記表示部のうち前記第２レーダ映像が占める部分は、前記第１レーダ映像が占める部分より小さいことを特徴とするレーダ装置。
【請求項１２】
請求項１から１１までの何れか一項に記載のレーダ装置であって、
第２送信信号の受信信号を待機する時間は、第１送信信号の受信信号を待機する時間よりも短いことを特徴とするレーダ装置。
【請求項１３】
少なくとも１つの角度範囲を設定する角度範囲設定工程と、
第１パルス幅の送信信号を送信するとともに、前記角度範囲設定工程で設定した角度範囲では、少なくとも第２パルス幅の送信信号を送信する送信工程と、
前記送信工程で送信した送信信号が物標に反射した信号を受信信号として受信する受信工程と、
第１パルス幅の受信信号に基づいて前記角度範囲を含む領域の第１レーダ映像を生成するとともに、第２パルス幅の受信信号に基づいて前記角度範囲の第２レーダ映像を生成するレーダ映像生成工程と、
を含むことを特徴とするレーダ映像生成方法。
【発明の詳細な説明】
【技術分野】
【０００１】
本発明は、パルス幅の異なる２以上の送信信号を送信するレーダ装置に関する。
【背景技術】
【０００２】
例えば船舶用のレーダ装置において、ユーザは、表示レンジが異なるレーダ映像を目的に応じて使い分けている。ユーザは、自船の近傍の様子を確認したい場合 には、狭い表示レンジのレーダ映像を利用し、遠方の様子を確認したい場合には、広い表示レンジのレーダ映像を利用する。【０００３】
この種のレーダ装置においては、レーダ映像の表示レンジに応じて、送信信号のパルス幅を異ならせることがある。例えば、レーダ映像の表示レンジが狭い場 合、パルス幅が短い送信信号を送信することで、分解能を向上させることができる。また、レーダ映像の表示レンジが広い場合、パルス幅が長い送信信号を送信 することで、エコー信号のＳＮ比が向上するため視認性を向上させることができる。特許文献１及び２は、パルス幅の異なる送信信号を送信するレーダ装置を開 示する。【０００４】
特許文献１及び２は、表示レンジが異なる２つのレーダ映像を１つの画面上に表示する。レーダ装置は、狭い表示レ ンジのレーダ映像を生成するための短いパルス幅の送信信号と、広い表示レンジのレーダ映像を生成するための長いパルス幅の送信信号と、を送信する。レーダ 装置は、パルス幅が異なる２種類の送信信号の反射波に対して、それぞれ異なる処理を行って個別にレーダ映像を生成する。【０００５】
特許文献３のレーダ装置は、表示レンジを自動的に変更可能に構成されている。このレーダ装置は、警戒すべき物標が検出された場合に、レーダ映像の表示レン ジの略半分の位置にこの物標が位置するように表示レンジが設定される。例えば３ＮＭの位置に警戒すべき物標が位置する場合は、表示レンジが６ＮＭになるよ うに設定される。
【先行技術文献】
【特許文献】
【０００６】
【特許文献１】特許第５２３１７２１号公報
【特許文献２】特許第３４９３１０７号公報
【特許文献３】特開平４−９８１７９号公報
【発明の概要】
【発明が解決しようとする課題】
【０００７】
レーダ装置では受信と送信を同時行うことができないので、送信信号の送信後は、反射波を受信するために待機する必要がある。従って、送信信号は、所定の送 信間隔で送信する必要がある。ここで、特許文献１及び２のレーダ装置は、全方位にわたってパルス幅の異なる送信信号を交互に送信する。従って、同種の送信 信号同士の送信間隔が長くなってしまうため、レーダ映像が粗くなることがある。特に、送信信号は放射状に送信されるため、遠距離の物標を検出できなくなる 可能性もある。【０００８】
また、特許文献３のレーダ装置は、表示レンジが自動的に変更される。そのため、例えば遠距離の物標にユーザが注目していた場合、当該物標がレーダ映像に表示されなくなる可能性がある。【０００９】
本発明は以上の事情に鑑みてされたものであり、その主要な目的は、遠距離の物標を確認するためのレーダ映像の粗さを抑えつつ、近距離の物標を詳細に確認可能なレーダ装置を提供することにある。
【課題を解決するための手段及び効果】
【００１０】
本発明の解決しようとする課題は以上の如くであり、次にこの課題を解決するための手段とその効果を説明する。
【００１１】
本発明の第１の観点によれば、以下の構成のレーダ装置が提供される。即ち、このレーダ装置は、角度範囲設定部と、送信部と、受信部と、レーダ映像生成部 と、を備える。前記角度範囲設定部は、全方位でない角度範囲を少なくとも１つ設定する。前記送信部は、第１パルス幅の第１送信信号を送信するとともに、前 記角度範囲設定部が設定した角度範囲では、第１パルス幅よりもパルス幅が短い第２パルス幅の第２送信信号を送信する。前記受信部は、前記送信部が送信した 前記第１送信信号及び前記第２送信信号が物標で反射した信号を受信信号として受信する。前記レーダ映像生成部は、前記第１送信信号の受信信号に基づいて第 １レーダ映像を生成するとともに、前記第２送信信号の受信信号に基づいて、前記角度範囲の第２レーダ映像を生成する。
【００１２】
これにより、送信部は設定された角度範囲で第２送信信号を送信するため、他の角度範囲においては第１送信信号の送信間隔を長くならない。そのため、第１レーダ映像の粗さを抑えつつ、第２レーダ映像を生成することができる。
【００１３】
前記のレーダ装置においては、前記角度範囲設定部は、第１レーダ映像上の位置の指定を受け付け、受け付けた位置に基づいて前記角度範囲を設定することが好ましい。
【００１４】
これにより、ユーザ又は他の機器が位置を指定するだけで、当該位置を含む角度範囲を設定することができる。
【００１５】
前記のレーダ装置においては、前記第２レーダ映像は、前記角度範囲設定部が受け付けた位置を含む領域の映像であることが好ましい。
【００１６】
これにより、ユーザ又は他の機器が指定した位置を含む第２レーダ映像が生成されるので、ユーザは重要な物標等について詳細に確認できる。
【００１７】
前記のレーダ装置においては、前記角度範囲設定部は、ユーザが指定した位置を受け付けることが好ましい。
【００１８】
これにより、ユーザが注目した物標（例えば衝突の可能性がある他船等）が含まれた第２レーダ映像を生成できる。
【００１９】
前記のレーダ装置においては、以下の構成とすることが好ましい。即ち、このレーダ装置は、前記受信信号に基づいて物標の追尾処理を行う物標追尾部を備え る。前記角度範囲設定部が受け付けた位置は、前記物標追尾部が追尾している物標、又は、追尾している物標の中から選択された物標の位置である。
【００２０】
これにより、追尾処理中の物標はユーザにとって重要な物標であることが多いため、この物標を含むように第２レーダ映像を生成することで、ユーザは注目すべき物標を詳細に確認することができる。
【００２１】
前記のレーダ装置においては、前記送信部は、自装置から前記角度範囲設定部が受け付けた位置までの距離に基づいて決定された前記第２送信信号を送信することが好ましい。
【００２２】
これにより、距離に応じてパルス幅を決定することで分解能及び視認性が高い第２レーダ映像を作成することができる。
【００２３】
前記のレーダ装置においては、前記送信部は、前記角度範囲において、第１送信信号の送信間隔を変えずに第２送信信号を送信することが好ましい。
【００２４】
これにより、第１レーダ映像の品質を低下させることなく第２レーダ映像を生成することができる。
【００２５】
前記のレーダ装置においては、前記送信部は、前記角度範囲において、第１送信信号の送信間隔を長くして第２送信信号を送信することが好ましい。
【００２６】
これにより、第１送信信号の送信間隔が短い場合であっても、この送信信号の代わりに第２送信信号を送信することで、第２レーダ映像を生成することができる。
【００２７】
前記のレーダ装置においては、前記第１レーダ映像及び前記第２レーダ映像を同時に表示する表示部を備えることが好ましい。
【００２８】
これにより、ユーザは、自船の周囲の全体的な物標の様子を確認しつつ、所定の角度範囲の物標について詳細な様子を確認することができる。
【００２９】
前記のレーダ装置においては、前記第２レーダ映像は、前記第１レーダ映像に重畳して表示されることが好ましい。
【００３０】
これにより、第１レーダ映像の表示領域をあまり小さくすることなく、第２レーダ映像を表示することができる。
【００３１】
前記のレーダ装置においては、前記表示部のうち前記第２レーダ映像が占める部分は、前記第１レーダ映像が占める部分より小さいことが好ましい。
【００３２】
これにより、第１レーダ映像の表示領域をあまり小さくすることなく、第２レーダ映像を表示することができる。特に、第２レーダ映像は設定された角度範囲のレーダ映像なので、小さく表示しても十分な視認性を発揮できる。
【００３３】
前記のレーダ装置においては、第２送信信号の受信信号を待機する時間は、第１送信信号の受信信号を待機する時間よりも短いことが好ましい。
【００３４】
第２送信信号は、近距離の物標を検知できれば十分であるので、受信信号を待機する時間を短くすることで、単位時間あたりの送信信号の送信回数を多くすることができる。
【００３５】
本発明の第２の観点によれば、以下のレーダ映像生成方法が提供される。即ち、このレーダ映像生成方法は、角度範囲設定工程と、送信工程と、受信工程と、 レーダ映像生成工程と、を含む。前記角度範囲設定工程は、少なくとも１つの角度範囲を設定する。前記送信工程は、第１パルス幅の送信信号を送信するととも に、前記角度範囲設定工程で設定した角度範囲では、少なくとも第２パルス幅の送信信号を送信する。前記受信工程は、前記送信工程で送信した送信信号が物標 に反射した信号を受信信号として受信する。前記レーダ映像生成工程は、第１パルス幅の受信信号に基づいて前記角度範囲を含む領域の第１レーダ映像を生成す るとともに、第２パルス幅の受信信号に基づいて前記角度範囲の第２レーダ映像を生成する。
【００３６】
これにより、送信工程では設定された角度範囲で第２送信信号を送信するため、他の角度範囲においては第１送信信号の送信間隔を長くならない。そのため、第１レーダ映像の粗さを抑えつつ、第２レーダ映像を生成することができる。
【図面の簡単な説明】
【００３７】
【図１】本発明の一実施形態に係るレーダ装置の構成を示すブロック図。
【図２】設定された角度範囲のみに第２送信信号を送信する処理を示すフローチャート。
【図３】危険物標の検出前に送信するパルスと、危険物標の検出中に送信するパルスと、を示す図。
【図４】危険物標の検出前に表示されるレーダ映像を示す図。
【図５】危険物標の検出中に表示されるレーダ映像を示す図。
【図６】危険物標の検出中に表示されるレーダ映像の別の例を示す図。
【発明を実施するための形態】
【００３８】
次に、図面を参照して本発明の実施形態を説明する。初めに、図１を参照して、レーダ装置１について説明する。図１は、本発明の一実施形態に係るレーダ装置１の構成を示すブロック図である。
【００３９】
本実施形態のレーダ装置１は、船舶用に搭載され、他船等を検出して表示する。レーダ装置１は、パルス幅の長い電波（送信信号）を送信するとともに、その受 信信号にパルス圧縮処理を行って解析することで、物標の位置を検出することができる。図１に示すように、レーダ装置１は、アンテナユニット１０と、レーダ 指示器２０と、を備えている。
【００４０】
アンテナユニット１０は、アンテナ部１１と、送信回路（送信部）１２と、受信回路（受信部）１３と、角度検出部１４と、を備えている。
【００４１】
アンテナ部１１は、送信信号（電波）を送信可能であるとともに、送信信号が物標等で反射した反射波を受信可能である。アンテナ部１１は、水平面内を所定周 期で回転しながら信号の送受信を繰り返すように構成されている。なお、本実施形態のレーダ装置１に代えて、アンテナ部１１を回転させずに周囲の探知を行う レーダ装置を用いることもできる。
【００４２】
送信回路１２は、レーダ指示器２０からの指示に応じて送信信号を生成して、アンテナ部 １１へ出力する。送信回路１２は、パルス幅が異なる送信信号を生成可能に構成されている。送信回路１２は、レーダ指示器２０からの指示に応じて異なるパル ス幅の送信信号を生成して送信することができる。
【００４３】
受信回路１３は、アンテナ部１１が受信した反射波を受信信号として受信する。受信回路１３は、この受信信号に対して、周波数のダウンコンバート及び増幅等を行う。受信回路１３は、変換後の反射波をレーダ指示器２０へ出力する。
【００４４】
角度検出部１４は、アンテナ部１１の回転軸に取り付けられており、アンテナ部１１の回転角度を検出する。角度検出部１４の検出結果は、レーダ指示器２０へ出力される。
【００４５】
レーダ指示器２０は、信号処理部２１と、物標追尾部２２と、レーダ映像生成部２３と、表示部２４と、操作部２５と、送信信号設定部２６と、送信信号制御部２７と、を備える。
【００４６】
信号処理部２１は、受信回路１３から入力された受信信号に対して、Ａ／Ｄ変換、パルス圧縮処理、ゲイン調整、及び海面反射の除去処理等を行う。なお、信号 処理部２１が行う処理の少なくとも一部をアンテナユニット１０側で行っても良いし、受信回路１３が行う処理の少なくとも一部を信号処理部２１側で行っても 良い。信号処理部２１は、信号処理後の受信信号を物標追尾部２２及びレーダ映像生成部２３へ出力する。
【００４７】
物標追尾部２２ は、ＴＴ（Ｔａｒｇｅｔ  Ｔｒａｃｋｉｎｇ、目標追尾）機能を実現するためのものである。このＴＴ（又はＡＲＰＡ）機能は公知であるので詳細な説明は省略 するが、アンテナユニット１０から入力された受信信号に基づいて物標の位置を自動的に検出・捕捉するとともに、時間の推移に基づいて当該物標の移動を追尾 することにより物標の速度ベクトルを推定するものである。物標追尾部２２が算出したＴＴ情報は、レーダ映像生成部２３へ出力される。
【００４８】
また、物標追尾部２２は、算出したＴＴ情報に基づいて、追尾中の物標の衝突可能性が高いか否かを判定する。具体的には、物標追尾部２２は、「ＣＰＡ」、 「ＢＣＲ」、「ＴＣＰＡ」、及び「ＢＣＴ」等を用いて衝突可能性が高いか否かを判定する処理を行う。ＣＰＡとはＣｌｏｓｅｓｔ  Ｐｏｉｎｔ  ｏｆ   Ａｐｐｒｏａｃｈの略であり、自船と物標とが最も接近した際の距離を示す。また、ＴＣＰＡはＴｉｍｅ  ｔｏ  ＣＰＡの略であり、自船と物標とが最接近する までの時間を示す。ＢＣＲとはＢｏｗ  Ｃｒｏｓｓｉｎｇ  Ｒａｎｇｅの略であり、自船の船首方向を物標が横切るときの、自船と物標との距離を示す。ＢＣＴ はＢｏｗ  Ｃｒｏｓｓｉｎｇ  Ｔｉｍｅの略であり、物標が自船の船首方向を横切るまでの時間を示す。
【００４９】
これらの値は、衝突 の可能性を判定する際に良く用いられ、値が小さい程、物標と自船との距離が小さかったり、近接するまでの時間が短かったりする。物標追尾部２２は、追尾中 の物標に対してこれらの値を求め、その結果に基づいて衝突可能性が高いか否かを判定する。以下では、衝突可能性が高いと物標追尾部２２が判定した物標を衝 突危険物標と称する。
【００５０】
レーダ映像生成部２３は、信号処理後の受信信号に基づいてレーダ映像を生成する。具体的には、レー ダ映像生成部２３は、アンテナ部１１が送信信号を送信したタイミングと、受信信号を受信したタイミングと、の時間差に基づいて物標までの距離を取得する。 また、レーダ映像生成部２３は、送信信号を送信したときのアンテナ部１１の向きに基づいて、物標が存在する方向を取得する。以上により、レーダ映像生成部 ２３は、図４に示すようなレーダ映像を生成することができる。また、レーダ映像生成部２３は、物標追尾部２２から入力されたＴＴ情報をレーダ映像上に表示 させることができる。
【００５１】
図４に示すように、レーダ映像（第１レーダ映像４０）には、自船マーク４１と、エコー４２ａ，４２ｂ，４２ｃと、ＴＴシンボル４３と、が表示されている。
【００５２】
自船マーク４１は、自船（自装置、レーダ装置１）の位置を示すマークである。エコー４２ａ，４２ｂ，４２ｃは、上記のように受信信号に基づいて距離と方位が算出された物標である。エコー４２ａは陸地のエコーであり、エコー４２ｂ，４２ｃは他船を示すエコーである。
【００５３】
また、エコー４２ｃが示す他船は物標追尾部２２が追尾中であるため、その近傍にＴＴシンボル４３が表示されている。ＴＴシンボル４３は、物標追尾部２２が 算出したＴＴ情報に基づいて作成されるマークである。ＴＴシンボル４３は、船舶（物標）の位置を示す円形のマークと、船舶（物標）の速度を示す線分（速度 ベクトル）と、から構成される。
【００５４】
表示部２４は、液晶等ディスプレイ等で構成されている。表示部２４は、上記のレーダ映像を表示することができる。
【００５５】
操作部２５は、ユーザがレーダ指示器２０に対して指示を行うために操作する部分である。操作部２５は、レーダ指示器２０の筐体に配置されたキーであっても 良いし、当該筐体に接続されたトラックボール等であっても良い。また、表示部２４及び操作部２５は、タッチパネルであっても良い。
【００５６】
送信信号設定部２６は、送信信号のパルス幅及びタイミング等を算出して送信信号制御部２７に設定する処理を行う。送信信号制御部２７には、角度検出部１４ からアンテナ部１１の回転角度が入力されている。送信信号制御部２７は、アンテナ部１１の回転角度と、送信信号設定部２６が設定した内容とに基づいて、送 信信号を生成するように送信回路１２を制御する。
【００５７】
本実施形態のレーダ装置１は、通常は１種類の送信信号のみを送信する。 そして、物標追尾部２２が衝突危険物標を検出した場合、レーダ装置１は、衝突危険物標が存在する方向に第１送信信号に加え第２送信信号を送信するように設 定する。そして、表示部２４には、図５に示すように、第１レーダ映像４０に加え、第２送信信号の送受信により得られた第２レーダ映像５０が表示される。以 下、衝突危険物標がある方向に第２送信信号を送信する処理について、図２のフローチャートを参照して詳細に説明する。
【００５８】
上 述のように物標追尾部２２は、追尾中の物標（即ち第１レーダ映像４０に表示されている物標）が衝突危険物標か否かを判定する。物標追尾部２２は、衝突危険 物標が存在する場合、衝突危険物標の位置（相対位置）を送信信号設定部２６へ出力する。送信信号設定部２６は、物標追尾部２２からの入力に基づいて、追尾 中の物標に衝突危険物標があるか否かを判定する（Ｓ１０１）。
【００５９】
また、ユーザは、第２レーダ映像に表示する物標を指定する ことができる。具体的には、ユーザは、表示部２４の第１レーダ映像４０に表示されているエコー４２ａ，４２ｂ，４２ｃ又はＴＴシンボル４３等を操作部２５ を用いて選択することで、物標を指定することができる。ユーザが指定した物標の位置は、送信信号設定部２６へ出力される。なお、ユーザは、物標ではなく位 置を直接指定しても良い。この場合、ユーザが選択した位置が送信信号設定部２６へ出力される。送信信号設定部２６は、操作部２５からの入力に基づいて、 ユーザによる位置の指定があるか否かを判定する（Ｓ１０２）。
【００６０】
送信信号設定部２６は、追尾中の危険物標がなく、ユーザに よる位置の指定もない場合、送信信号として、第１送信信号のみを設定する（Ｓ１０３）。図３の「危険物標の検出前」と記載された部分には、第１送信信号の みが設定された場合に送信される送信信号の例が示されている。図３に示すように、第１パルス幅の送信信号（第１送信信号）が送信され、その後に当該第１送 信信号の受信信号を受信するために待機する時間（受信待機時間）がある。この第１送信信号を受信する期間の経過後に、次の第１送信信号が送信される。表示 部２４には、この第１送信信号の受信信号により得られた第１レーダ映像４０が表示される。
【００６１】
送信信号設定部２６の角度範囲 設定部２６ａは、衝突危険物標又はユーザによる位置の指定がある場合、衝突危険物標又は指定された位置を含む角度範囲を設定する（Ｓ１０４）。具体的に は、角度範囲設定部２６ａは、衝突危険物標が存在する角度（水平面における角度、方位）に基づいて、当該角度を含むように（かつ全方位とならないように） 角度範囲を設定する。例えば、送信信号設定部２６は、衝突危険物標等が存在する角度をθとした場合、θ−αからθ＋αまでの角度範囲を送信信号制御部２７ に設定する。
【００６２】
次に、送信信号設定部２６の第２パルス幅設定部２６ｂは、衝突危険物標又は指定された位置までの距離（ｒ） に応じて、第２送信信号の第２パルス幅を設定する（Ｓ１０５）。上述したように、近距離のレーダ映像を作成するときはパルス幅を短くすることで分解能を向 上させることができ、遠距離のレーダ映像を作成するときはパルス幅を長くすることで視認性を向上させることができる。
【００６３】
従って、第２パルス幅設定部２６ｂは、衝突危険物標又は指定された位置までの距離が近くなる程、短いパルス幅を第２パルス幅として送信信号制御部２７に設 定する。また、第２送信信号は、近距離の物標をより詳細に探知するために用いられるため、第２パルス幅は第１パルス幅よりも短い値が設定される。
【００６４】
また、第２送信信号は、衝突危険物標又は指定された位置の周囲が検出できれば十分であるので、反射波の受信待機時間を長くする必要がない。従って、本実施形態では、第２送信信号の受信待機時間は、第１送信信号の受信待機時間よりも短い。
【００６５】
次に、送信信号制御部２７は、設定された角度範囲に送信信号を送信するタイミングか否かを判定する（Ｓ１０６）。具体的には、送信信号制御部２７には、ア ンテナ部１１の回転角度が角度検出部１４から入力されている。送信信号制御部２７は、入力された回転角度が、送信信号設定部２６が設定した角度範囲に入っ ているか否かに基づいて、Ｓ１０６の判定を行う。
【００６６】
送信信号制御部２７は、設定された角度範囲に送信信号を送信するタイミングでない場合、衝突危険物標が存在しない場合と同様に、第１送信信号のみを送信する（Ｓ１０３、図３の中央の波形図）。
【００６７】
また、送信信号制御部２７は、設定された角度範囲に送信信号を送信するタイミングである場合、第１送信信号と第２送信信号を切り替えながら送信する （Ｓ１０７、図３の下の波形図）。本実施形態では、第１送信信号と第２送信信号とを交互に送信する構成であるが、何れか一方の送信信号を２回送信する毎に 他方の送信信号を１回送信する構成等であっても良い。
【００６８】
また、本実施形態では、設定した角度範囲では、それ以外の角度より も、第１送信信号の送信間隔が長くなっている。換言すれば、設定した角度範囲では、第１送信信号を間引いて第２送信信号が送信される。なお、第１送信信号 の送信間隔が長いのであれば、設定した角度範囲とそれ以外の角度範囲とで、第１送信信号の送信間隔が同じであっても良い。
【００６９】
以上により、衝突危険物標等が存在する方向においては、第１送信信号と第２送信信号とが交互に送信され、それ以外の方向においては、第１送信信号のみが送 信される。レーダ映像生成部２３は、第１送信信号の受信信号に基づいて第１レーダ映像４０を生成するとともに、第２送信信号の受信信号に基づいて更に第２ レーダ映像５０を生成する。
【００７０】
図５には、第１レーダ映像４０に加え第２レーダ映像５０が表示されたときの表示部２４の表示画面が示されている。第２レーダ映像５０は、表示画面の右下であって、第１レーダ映像４０に重畳するように、第１レーダ映像４０の手前に配置されている。
【００７１】
第２レーダ映像５０は、矩形の枠内に表示された扇形の部分である。第２レーダ映像５０の扇形の部分は、第１レーダ映像４０に表示された破線の扇形（第２ レーダ映像領域表示部４４）と対応している。第２レーダ映像５０では、第１レーダ映像４０よりも短いパルス幅でレーダ映像が生成されているので、より分解 能が高いレーダ映像が表示される。更に、第２レーダ映像５０は第１レーダ映像４０よりも拡大して表示される。従って、ユーザは衝突危険物標について、より 詳細な情報を取得することができる。
【００７２】
なお、第２レーダ映像の表示位置は任意であり、右下に限られず、四隅の何れに表示されていても良い。また、第２レーダ映像５０の形状も扇形に限られず、図６に示すように矩形状であっても良い。
【００７３】
以上に説明したように、このレーダ装置１は、角度範囲設定部２６ａと、送信回路１２と、受信回路１３と、レーダ映像生成部２３と、を備え、レーダ映像生成 方法を行う。角度範囲設定部２６ａは、全方位でない角度範囲を少なくとも１つ設定する（角度範囲設定工程）。送信回路１２は、第１パルス幅の第１送信信号 を送信するとともに、角度範囲設定部２６ａが設定した角度範囲では、第１パルス幅よりもパルス幅が短い第２パルス幅の第２送信信号を送信する（送信工 程）。受信回路１３は、送信回路１２が送信した第１送信信号及び第２送信信号が物標で反射した信号を受信信号として受信する（受信工程）。レーダ映像生成 部２３は、第１送信信号の受信信号に基づいて第１レーダ映像を生成するとともに、第２送信信号の受信信号に基づいて、角度範囲の第２レーダ映像を生成する （レーダ映像生成工程）。
【００７４】
これにより、送信回路１２は設定された角度範囲で第２送信信号を送信するため、他の角度範囲においては第１送信信号の送信間隔を短くしなくて良い。そのため、第１レーダ映像の粗さを抑えつつ、第２レーダ映像を生成することができる。
【００７５】
以上に本発明の好適な実施の形態を説明したが、上記の構成は例えば以下のように変更することができる。
【００７６】
上記の実施形態では、角度範囲が１つのみ設定される例を示したが、２以上の角度範囲が設定され、２以上の第２レーダ映像５０が表示されていても良い。この 場合、１つ目の角度範囲と２つ目の角度範囲とで、パルス幅を異ならせても良い。ここで、１つ目の角度範囲と２つの角度範囲とが重複しており、それぞれで異 なるパルス幅が設定された場合、２つの角度範囲が重なる方向では、衝突の可能性が高い方の角度範囲に対応するパルス幅の送信信号を送信することができる。
【００７７】
上記の実施形態では、物標追尾部２２は衝突の可能性が高い物標を選択して送信信号設定部２６へ出力するが、別の観点から物標を選択して送信信号設定部２６へ出力しても良い。また、追尾中の物標が少ない場合等は、追尾中の物標全てを送信信号設定部２６へ出力しても良い。
【００７８】
上記の実施形態では、第１レーダ映像４０よりも拡大して第２レーダ映像５０を表示しているが、同じ縮尺又は第１レーダ映像４０よりも縮小して第２レーダ映 像５０を表示しても良い。また、上記の実施形態では、第１レーダ映像４０と第２レーダ映像５０で基準方位（レーダ映像の上方向の方位）が同一であるが、異 ならせることもできる。例えば第１レーダ映像４０をノースアップ（レーダ映像の上方向が北）で表示し、第２レーダ映像５０をヘディングアップ（レーダ映像 の上方向が船首方位）で表示することができる。衝突を避けるために利用される第２レーダ映像をヘディングアップとすることで、衝突の回避を直感的に行うこ とができる。
【００７９】
上記の実施形態では、物標追尾部２２が行ったＴＴ処理に基づいて、衝突危険物標が存在するか否かを検出して いる。これに代えて、例えばＡＩＳ（Ｕｎｉｖｅｒａｌ  Ｓｈｉｐｂｏｒｎｅ  Ａｕｔｏｍａｔｉｃ  Ｉｄｅｎｔｉｆｉｃａｔｉｏｎ  Ｓｙｓｔｅｍ：船舶自動 識別システム）を用いて他船の位置及び速度を取得して、それらに基づいて衝突危険物標か否か判定しても良い。
【００８０】
上記の実施 形態では、船舶に搭載されるレーダ装置を例に挙げて説明したが、他の移動体（例えば航空機）に搭載されるレーダ装置にも、本構成を適用することができる。 また、例えば灯台、海峡、及び港湾等に設置され、周囲の状況をレーダエコーによって検出する構成のレーダ装置にも本構成を適用することができる。
【符号の説明】
【００８１】
１  レーダ装置
１０  アンテナユニット
１１  アンテナ部
１２  送信回路（送信部）
１３  受信回路（受信部）
２０  レーダ指示器
２１  信号処理部
２２  物標追尾部
２３  レーダ映像生成部
２４  表示部
２５  操作部
２６  送信信号設定部
２７  送信信号制御部
４０  第１レーダ映像
５０  第２レーダ映像
【図１】
2017145588.tif 000003
【図２】
2017145588.tif 000004
【図３】
2017145588.tif 000005
【図４】
2017145588.tif 000006
【図５】
2017145588.tif 000007
【図６】
2017145588.tif 000008
【国際調査報告】
2017145588.tif 000009
2017145588.tif 000010